(57)【要約】  別の完全に構成されたＲＦキャリア（本明細書では一次キャリアと称する）に属するアップリンク制御チャネルを利用して、ダウンリンクのみのＲＦキャリアを介したダウンリンク送信用のアップリンクフィードバックを実行するための技術を記載する。一次キャリアのアップリンク制御チャネルの直後の完全に構成されたＲＦキャリアのアップリンク制御領域のダウンリンクのみのＲＦキャリアに、アップリンクフィードバックチャネルを割り当てることができる。ダウンリンクのみのＲＦキャリアに対してのアップリンクフィードバックチャネルの割り当ては、インデックス番号を昇順または降順にソーティングして連番になっている、各ダウンリンクのみのＲＦキャリアのグローバルまたはローカルのインデックス番号に基づいて行うことができる。【選択図】図１
2013521705.tif 000002
【特許請求の範囲】
【請求項１】
基地局で実行される方法であって、
少なくとも１つの一次アップリンク制御チャネルへのアップリンク制御チャネルのスケジュールおよび割り当てを要求する段階と、
ダウンリンクのみのキャリアへの第１のアップリンク制御チャネルのスケジュールおよび割り当てを要求する段階と、
第２のダウンリンクのみのキャリアへの第２のアップリンク制御チャネルのスケジュールおよび割り当てを要求する段階と
を備える方法。
【請求項２】
前記ダウンリンクのみのキャリアへの第１のアップリンク制御チャネルのスケジュールおよび割り当てを要求する段階は、
前記一次アップリンク制御チャネルに割り当てられた論理リソースユニットの直後の論理リソースユニットのうち最低の物理または論理インデックス番号を有するダウンリンクのみのキャリアに対して第１のアップリンク制御チャネルをスケジュールして割り当てるよう要求する段階を有する請求項１に記載の方法。
【請求項３】
前記第２のダウンリンクのみのキャリアへの第２のアップリンク制御チャネルのスケジュールおよび割り当てを要求する段階は、
前記第１のアップリンク制御チャネルに割り当てられた論理リソースユニットの直後の論理リソースユニットの次に低い物理または論理インデックス番号を有するダウンリンクのみのキャリアに対して第２のアップリンク制御チャネルをスケジュールして割り当てるよう要求する段階を有する請求項２に記載の方法。
【請求項４】
前記ダウンリンクのみのキャリアへの第１のアップリンク制御チャネルのスケジュールおよび割り当てを要求する段階は、
前記一次アップリンク制御チャネルに割り当てられた論理リソースユニットの直後の論理リソースユニットのうち最高の物理または論理インデックス番号を有するダウンリンクのみのキャリアに対して第１のアップリンク制御チャネルをスケジュールして割り当てるよう要求する段階を有する請求項１に記載の方法。
【請求項５】
前記第２のダウンリンクのみのキャリアへの第２のアップリンク制御チャネルのスケジュールおよび割り当てを要求する段階は、
前記第１のアップリンク制御チャネルに割り当てられた論理リソースユニットの直後の論理リソースユニットの次に高い物理または論理インデックス番号を有するダウンリンクのみのキャリアに対して第２のアップリンク制御チャネルをスケジュールして割り当てるよう要求する段階を有する請求項４に記載の方法。
【請求項６】
前記ダウンリンクのみのキャリアおよび前記第２のダウンリンクのみのキャリアは両方とも、ユニキャスト無線周波数キャリアを含む請求項１に記載の方法。
【請求項７】
前記第１のアップリンク制御チャネルおよび前記第２のアップリンク制御チャネルは、ＨＡＲＱフィードバックチャネル、高速フィードバックチャネル、および、帯域幅要求チャネルのうち１以上を含む請求項１に記載の方法。
【請求項８】
移動局で実行される方法であって、
少なくとも１つの一次アップリンク制御チャネルに対して割り当てられたアップリンク制御チャネルにフィードバックを提供するよう要求する段階と、
ダウンリンクのみのキャリアに対して割り当てられた第１のアップリンク制御チャネルにフィードバックを提供するよう要求する段階と、
第２のダウンリンクのみのキャリアに対して割り当てられた第２のアップリンク制御チャネルにフィードバックを提供するよう要求する段階と
を備える方法。
【請求項９】
論理リソースユニットのうち最低のインデックス番号を有するダウンリンクのみのキャリアに対する前記第１のアップリンク制御チャネルを、前記一次アップリンク制御チャネルに割り当てられた論理リソースユニットの直後の論理リソースユニットに割り当てる請求項８に記載の方法。
【請求項１０】
次に低いインデックス番号を有するダウンリンクのみのキャリアに対する前記第２のアップリンク制御チャネルを、前記第１のアップリンク制御チャネルに割り当てられた論理リソースユニットの直後の論理リソースユニットに割り当てる請求項９に記載の方法。
【請求項１１】
論理リソースユニットのうち最高のインデックス番号を有するダウンリンクのみのキャリアに対する前記第１のアップリンク制御チャネルを、前記一次アップリンク制御チャネルに割り当てられた論理リソースユニットの直後の論理リソースユニットに割り当てる請求項８に記載の方法。
【請求項１２】
次に高いインデックス番号を有するダウンリンクのみのキャリアに対する前記第２のアップリンク制御チャネルを、前記第１のアップリンク制御チャネルに割り当てられた論理リソースユニットの直後の論理リソースユニットに割り当てる請求項１１に記載の方法。
【請求項１３】
前記ダウンリンクのみのキャリアおよび前記第２のダウンリンクのみのキャリアは両方とも、ユニキャスト無線周波数キャリアを含む請求項８に記載の方法。
【請求項１４】
前記第１のアップリンク制御チャネルおよび前記第２のアップリンク制御チャネルは、ＨＡＲＱフィードバックチャネル、高速フィードバックチャネル、および、帯域幅要求チャネルのうち１以上を含む請求項８に記載の方法。
【請求項１５】
１以上のアンテナと、
表示デバイスと、
前記表示デバイスと前記１以上のアンテナとに、連結可能に連結されたプロセッサと
を備えるシステムであって、
前記プロセッサは、
少なくとも１つの一次アップリンク制御チャネルに対して割り当てられたアップリンク制御チャネルにフィードバックを提供するよう要求して、
ダウンリンクのみのキャリアに対して割り当てられた第１のアップリンク制御チャネルにフィードバックを提供するよう要求して、
第２のダウンリンクのみのキャリアに対して割り当てられた第２のアップリンク制御チャネルにフィードバックを提供するよう要求する、システム。
【請求項１６】
前記一次アップリンク制御チャネルに割り当てられた論理リソースユニットの直後の論理リソースユニットに、論理リソースユニットのうち最低のインデックス番号を有するダウンリンクのみのキャリアに対する前記第１のアップリンク制御チャネルが割り当てられ、
前記第１のアップリンク制御チャネルに割り当てられた論理リソースユニットの直後の論理リソースユニットに、次に低いインデックス番号を有するダウンリンクのみのキャリアに対する前記第２のアップリンク制御チャネルが割り当てられる、請求項１５に記載のシステム。
【請求項１７】
前記一次のアップリンク制御チャネルに割り当てられた論理リソースユニットの直後の論理リソースユニットに、論理リソースユニットのうち最高のインデックス番号を有するダウンリンクのみのキャリアに対する前記第１のアップリンク制御チャネルが割り当てられ、
前記第１のアップリンク制御チャネルに割り当てられた論理リソースユニットの直後の論理リソースユニットに、次に高い物理またはインデックス番号を有するダウンリンクのみのキャリアに対する前記第２のアップリンク制御チャネルが割り当てられる、請求項１５に記載のシステム。
【請求項１８】
前記ダウンリンクのみのキャリアおよび前記第２のダウンリンクのみのキャリアは両方とも、ユニキャスト無線周波数キャリアを含む請求項１５に記載のシステム。
【請求項１９】
前記第１のアップリンク制御チャネルおよび前記第２のアップリンク制御チャネルは、ＨＡＲＱフィードバックチャネル、高速フィードバックチャネル、および、帯域幅要求チャネルのうち１以上を含む請求項１５に記載のシステム。
【請求項２０】
前記一次アップリンクキャリア、前記ダウンリンクのみのキャリア、および、前記第２のダウンリンクのみのキャリアは、周波数分割複信（ＦＤＤ）キャリアを含む請求項１５に記載のシステム。
【発明の詳細な説明】
【技術分野】
【０００１】
ここに開示する主題は、一般的に、無線ネットワークを利用してダウンリンクのみのキャリアで行われる通信からのフィードバック技術に係る。
【背景技術】
【０００２】
ユニキャストサービス用のダウンリンクのみの無線周波数（ＲＦ）キャリアを利用すると、セルラー式通信システムのデータスループットおよびキャパシティが上がる。ダウンリンクのみのＲＦキャリアの例には、不対ＦＤＤ（unpaird Frequency Division Duplex） およびダウンリンクのみの分割を行う時分割複信方式がある。特に、マルチキャリア処理およびＲＦキャリアの集約を行うダウンリンクのみのＲＦキャリアは、ＴＤＤスペクトルをＦＤＤスペクトルと集約することができるために、注目されている。例えばＩＥＥＥ８０２．１６ｍおよび３ＧＰＰ  ＬＴＤ−アドバンストは、両方ともキャリア集約をサポートしている。
【０００３】
ＩＥＥＥ８０２．１６ｍドラフト版８（２０１０年）は、一次ＲＦキャリアのアップリンクフィードバックチャネルを定義している。アップリンクフィードバックチャネルは、ダウンリンクチャネルと対にして、ダウンリンクチャネルを利用した通信のフィードバックを提供することができる。アップリンクフィードバックチャネルおよびその他のアップリンク制御チャネルを利用して、ハイブリッドＡＲＱ（hybrid automatic repeat request）フィードバック、ＭＩＭＯフィードバック、帯域幅要求を移動局から基地局へ送ることができる。しかしダウンリンクのみのＲＦキャリアでは、フィードバックメカニズムが定義されていない。場合によっては、ダウンリンクのみのＲＦキャリアのフィードバックメカニズムを提供すると望ましいことがある。
【０００４】
以下に本発明の実施形態を図面を参照して記載するが、図面において同様の部材には同様の参照番号が付されている。
【図面の簡単な説明】
【０００５】
【図１】無線ネットワークを利用して接続される幾つかのデバイスの例を示す。
【図２】周波数スペクトルとキャリア集約の一例を示す。
【図３】ＦＤＤ（周波数分割複信方式）フレーム構造の一例を示す。
【図４】論理リソースユニットを周波数分域に割り当てる方法、および、アップリンク（ＵＬ）制御チャネルを、ダウンリンクのみのキャリア用の一次ＲＦキャリアのアップリンク制御領域の時間および周波数に割り当てる方法の一例を示す。
【図５】一次ＲＦキャリアのアップリンクでダウンリンクのみのＲＦキャリア用のフィードバックを提供するために利用することができる方法の一例を示す。
【図６】一実施形態におけるシステム例を示す。
【発明を実施するための形態】
【０００６】
本明細書における「１つの実施形態」または「一実施形態」といった表現は、その実施形態との関連で記載される特定の特徴、構造、または特性が、本発明の少なくとも１つの実施形態に含まれることを示している。従って、本明細書の随所に「１つの実施形態」または「一実施形態」という表現が利用されているが、これらは必ずしも全てが同じ実施形態のことを示しているわけではない。さらに、１以上の実施形態では特定の特徴、構造、または特性を組み合わせることができる。
【０００７】
本発明の実施形態は様々な用途が可能である。本発明の一部の実施形態は、様々なデバイスおよびシステム（例えばトランスミッタ、レシーバ、トランシーバ、トランスミッタ−レシーバ、無線通信ステーション、無線通信デバイス、無線アクセスポイント（ＡＰ）、モデム、無線モデム、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、情報携帯端末（ＰＤＡ）デバイス、ハンドヘルドＰＤＡデバイス、ネットワーク、無線ネットワーク、ローカルエリアネットワーク（ＬＡＮ）、無線ＬＡＮ（ＷＬＡＮ）、メトロポリタンエリアネットワーク（ＭＡＮ）、無線ＭＡＮ（ＷＭＡＮ）、ワイドエリアネットワーク（ＷＡＮ）、無線ＷＡＮ（ＷＷＡＮ）、ＩＥＥＥ８０２．１１、８０２．１１ａ、８０２．１１ｂ、８０２．１１ｅ、８０２．１１ｇ、８０２．１１ｈ、８０２．１１ｉ、８０２．１１ｎ、８０２．１６、８０２．１６ｄ、８０２．１６ｅ、８０２．１６ｍ、３ＧＰＰ規格、３ＧＰＰ  ＬＴＤアドバンスト３６２１  １リリース１０に記載の物理層に関する記載、および／または、上述した規格の将来のバージョン、および／または、派生物、および／または、ロングタームエボリューション（ＬＴＥ）、パーソナルエリアネットワーク（ＰＡＮ）、無線ＰＡＮ（ＷＰＡＮ）、上述したＷＬＡＮおよび／またはＰＡＮおよび／またはＷＰＡＮネットワークの一部であるユニットおよび／またはデバイス、一方向および／または双方向無線通信システム、セルラー式無線電話通信システム、セルラー式電話器、無線電話器、パーソナル通信システム（ＰＣＳ）デバイス、無線通信デバイスを組み込んだＰＤＡデバイス、多入力他出力（ＭＩＭＯ）トランシーバまたはデバイス、単一入力タ出力（ＳＩＭＯ）トランシーバまたはデバイス、多入力単一出力（ＭＩＳＯ）トランシーバまたはデバイス、マルチレシーバチェーン（ＭＲＣ）トランシーバまたはデバイス、「スマートアンテナ」技術またはマルチアンテナ技術を有するトランシーバまたはデバイス）と共に利用することができる。
【０００８】
本発明の一部の実施形態は、１以上の種類の無線通信信号および／またはシステム（無線周波数（ＲＦ）、赤外線（ＩＲ）、周波数分割多重（ＦＤＭ）、直交ＦＤＭ（ＯＦＤＭ）、直交周波数分割多重接続（ＯＦＤＭＡ）、時分割多重（ＴＤＭ）、時分割多重接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多重接続（ＣＤＭＡ）、ワイドバンドＣＤＭＡ（ＷＣＤＭＡ）、ＣＤＭＡ２０００、マルチキャリア変調（ＭＤＭ）、離散マルチトーン（ＤＭＴ）、Ｂｌｕｅｔｏｏｔｈ（登録商標）、ＺｉｇＢｅｅ（登録商標）等）とともに利用することができる。本発明の実施形態は、他の装置、デバイス、システム、および／または、ネットワークで利用することができる。
【０００９】
一部の実施形態では、完全な構成の一次ＲＦキャリアでアップリンク制御領域のダウンリンクのみのＲＦキャリアのフィードバックを提供する。場合によっては、完全な構成の一次ＲＦキャリアに対して割り当てたアップリンク制御チャネルの直後のダウンリンクのみのＲＦキャリアに、フィードバックチャネルを割り当てることができる。数多くのマルチキャリアシステムは、少なくとも１つ、完全な構成の一次ＲＦキャリアを有している。ダウンリンクのみのＲＦキャリアのフィードバックチャネルは、移動局と基地局との間の交渉なしに、インデックス番号が昇順または降順方式で連番になっている各ダウンリンクのみのＲＦキャリアの物理（または論理）インデックス番号に基づいて割り当てることができる。
【００１０】
図１は、無線ネットワークを利用して接続される幾つかのデバイスの例を示す。ネットワークは、様々なＩＥＥＥ８０２．１６または３ＧＰＰ  ＬＴＥ、およびこれらの変形例および改定例に準拠したものであってよい。下流またはダウンリンクの場合には、上の説明はトランスミッタ１０２および／または２０２と総称したものが、基地局（ＢＳ）またはエンハンストノードＢ（ｅＮＢ）またはアクセスポイント（ＡＰ）であってよい。ダウンリンクの場合には、また、上述したレシーバ１０４および／または２０４を、システムレベルで、移動局（ＭＳ）またはサブスクライバ局（ＳＳ）またはユーザ機器（ＵＥ）またはステーション（ＳＴＡ）と称する場合もある。さらにＢＳ、ｅＮＢ、およびＡＰは、利用される無線プロトコルによっては、入れ替え可能なコンセプトであってよく、例えばＢＳと言ったときには、ｅＮＢ、ＡＰいずれともなりうる。同様に本明細書では、ＭＳまたはＳＳも、ＵＥまたはＳＴＡのいずれともなりうる。
【００１１】
ＢＳは、ダウンリンク（ＤＬ）通信経路を利用してＭＳに信号を送信して、アップリンク（ＵＬ）通信経路を利用してＭＳから信号を受信することができる。一部の実施形態は、一次ＲＦキャリアＵＬ制御領域で、ＤＬのみのＲＦキャリア（不対ＲＦキャリア）にＵＬ制御チャネルを割り当てる方法を提供する。一部の実施形態では（例えばマルチキャストおよびブロードキャストサービスでは）、ＤＬのみのＲＦキャリアに対応するアップリンク制御領域を識別する目的において、ＵＬ制御領域で信号オーバヘッドが追加発生しない場合もある。場合によっては、ＢＳおよびＭＳが交渉することなく、また、他の利用目的に確保されている交渉に係る帯域幅を利用することなく、ＤＬのみのＲＦキャリアに対応するアップリンク制御領域を識別することができる。各ＢＳでは、メディアアクセス制御（ＭＡＣ）層１０３および２０３それぞれのスケジューラによって、ＭＳが利用する一次および二次キャリア等の無線リソースが指定される。
【００１２】
一部の実施形態では、ＵＬ制御領域は、一次キャリアアップリンク制御信号用に割り当てられ、一次ＲＦキャリアのＵＬ制御領域の時間周波数リソースは、ＤＬのみのキャリアに対応するフィードバックに、物理（グローバル）または論理（ローカル）インデックス番号の昇順または降順の順序で割り当てることができる。例えば、ＤＬのみの２つのキャリアを有する４つのキャリアを考えると、ＵＬ制御領域のうち第１部が、一次キャリアに対応するアップリンクフィードバックに割り当て可能であり、ＵＬ制御領域のうち第２部が、数値的に最小の物理インデックスを有するＤＬのみのキャリアに対応するフィードバックに割り当て可能であり、ＤＬ制御領域のうち第３部が、次に数値的に小さい物理インデックスを有するＤＬのみのキャリアに対応するアップリンクフィードバックに割り当て可能である。
【００１３】
一部の実施形態では、ＢＳは、ＭＳに対して、このＭＳがフィードバック送信に利用できるＵＬ制御領域における論理リソースユニットの位置を伝えることができる。制御チャネルは、ＤＬのみのキャリアに対応するアップリンクフィードバックを送信するために論理リソースユニットをＭＳが利用する前に設定された論理リソースユニットに位置させることができる。このように予め設定することにすると、柔軟性は失われるが、交渉の必要はないので仕様帯域幅を減らすことができる。場合によっては、ＢＳは、ダウンリンクでＭＡＣ管理または制御メッセージを送信することで、ＤＬのみのキャリア用にアップリンクフィードバックを送信するために利用されるアップリンク制御チャネルを割り当てたり、または設定したりすることもできる。ＲＦキャリアはインデックス化することができ、場合によっては、ＤＬのみのＲＦキャリアのインデックスをアップリンク信号に含めて、ＲＦキャリアの制御チャネルを識別することもできる。しかし場合によっては、ＤＬのみのＲＦキャリアのインデックス番号が、ＵＬフィードイバックの位置から示唆される場合もある。比較すると、予め割り当てられて、固定された周波数分域をフィードバックに利用する場合には、アップリンクフィードバック割り当てを各ＭＳに動的に信号伝達するケースと比べて信号伝達のオーバヘッドを格段に減らすことでき、フィードバック遅延を抑えて、システムのスループットを高める可能性が出てくる。
【００１４】
図２は、周波数スペクトルとキャリア集約の一例を示す。図示されているように、一次ＦＤＤキャリアは、一対のＤＬおよびＵＬキャリアを含み、二次ＦＤＤキャリアも、一対のＤＬおよびＵＬキャリアを含んでいる。一次ＲＦキャリアは、トラフィックおよび完全ＰＨＹ／ＭＡＣ制御情報の交換のためにＢＳおよびＭＳが利用するキャリアであってよい。一次キャリアは、ＭＳに固有の処理のための制御情報を配信することができる（例えばネットワークエントリの間などに）。各ＭＳは、１セルで１つの一次キャリアしか取得できない。一次キャリアは、ＦＤＤ（ダウンリンクおよびアップリンク送信が、それぞれ周波数が別々の２つのＲＦキャリアで行われる）であっても、ＴＤＤキャリアであってもよい。例えばＩＥＥＥ８０２．１６ｍドラフト版８（２０１０）には、ＭＡＣ信号およびコマンド（例えばハンドオーバ、スリープ、アイドル、セキュリティ更新等）の送信に一次キャリアを利用する旨の記載がある。
【００１５】
二次ＲＦキャリアは、ＢＳがマルチキャリア処理を行うことのできる移動局へのトラフィック割り当てに利用可能なさらなるキャリアであってよい。二次キャリアはさらに、マルチキャリア処理をサポートするための専用制御信号を含むことができる。例えばＩＥＥＥ８０２．１６ｍドラフト版８（２０１０）には、二次キャリアをリソース割り当てに利用する旨が記載されている。
【００１６】
ダウンリンクのみのＲＦキャリアｉ、ｊ、およびｋは対になったＵＬキャリアを有さない。変数ｉ、ｊ、およびｋは、ダウンリンクのみのＲＦキャリアの物理インデックスまたは論理インデックスを表してよく、ｉ＜ｊ＜ｋである。一部の実施形態では、ＲＦキャリアｉ、ｊ、およびｋは、ユニキャストデータ送信に利用されるダウンリンクのみの二次ＲＦキャリアである。様々な実施形態では、ダウンリンクのみの二次ＲＦキャリアに対応するアップリンク制御チャネルが一次ＲＦキャリア上に設けられていて良い。ダウンリンクのみのＲＦキャリアをブロードキャストおよびマルチキャストサービスに利用する場合には、アップリンク制御チャネルが割り当てられなくてもよい。しかし、一部のブロードキャストおよびマルチキャストサービスは、アップリンク制御チャネル（ＨＡＲＱ  ＡＣＫ／ＮＡＣＫおよび／または高速フィードバックチャネル）を利用することもあるダウンリンクのみのＲＦキャリアにプロビジョンすることもできる。こうすると、一部の実施形態では、ここで記載する技術の利用により、アップリンクフィードバックチャネルの効率的な割り当て方法を提供することができるようになる。
【００１７】
図３は、ＦＤＤフレーム構造の一例を示す。各ＵＬサブフレームは、アップリンク制御領域およびデータチャネルに利用可能な時間−周波数リソースを含んでいる。無線フレームは、ダウンリンク／アップリンク送信のための複数のサブフレームに分割することができる。あるサブフレームにおける送信帯域幅は複数の周波数領域に分割されて、ある周波数領域におけるサブキャリアがグループ分けされてその周波数区域で順序を変えられることで、通信チャネルにおける周波数のダイバーシティを達成することができるようにされている。
【００１８】
図４は、論理リソースユニットを周波数分域に割り当てる方法、および、アップリンク（ＵＬ）制御チャネルを、ダウンリンクのみのキャリア用のアップリンク制御領域の時間および周波数に割り当てる方法を示す。一次ＲＦキャリアのＵＬ制御のための論理リソースユニット割り当てについては、例えば、ＩＥＥＥ８０２．１６ｍドラフト版８（２０１０）のセクション１６．３．７．３．３のＦｉｇｕｒｅ５４３および５４４および付随する本文に説明がある。
【００１９】
アップリンク制御チャネルは、ＨＡＲＱフィードバック（例えば、ＤＬ送信の承認（ＡＣＫ）および否定承認（ＮＡＣＫ））および一次および二次高速フィードバックチャネル（例えばチャネル品質インジケータ（ＣＱＩ）、ＭＩＭＯフィードバック、計測および報告）、および帯域幅要求チャネルを含んでよい。一部の実施形態は、一次ＲＦキャリアアップリンク制御領域を拡張して、ダウンリンクのみのＲＦキャリアのアップリンク制御領域において、ＲＦキャリア物理または論理インデックスの順序を最小インデックスから大きなインデックスへと増分したり、最大インデックスから小さなインデックスへと減少させたりすることができる。場合によっては、ユニキャストサービスで利用されるダウンリンクのみのキャリアには、ＵＬ制御領域のフィードバックを利用可能として、ブロードキャストまたはマルチキャストサービスで利用されるダウンリンクのみのキャリアには、ＵＬ制御領域のフィードバックを利用不可能とすることもある。
【００２０】
基地局は、一次ＲＦキャリアにおける拡張されたアップリンク制御領域のダウンリンクのみにＲＦキャリアに対応するアップリンク制御チャネルを割り当てたりスケジュールしたりすることができる。ＲＦキャリア構成の情報（つまり、ＲＦキャリアが完全にまたは一部だけ構成されているか、ＲＦキャリアが一次か二次か、あるいは、ＲＦキャリアが対になっているか、いないか）を、ダウンリンクブロードキャストチャネル経由で送信して、アップリンク送信に先立って移動局に知らせることができる。
【００２１】
ＢＳとＭＳとの間で予めプロビジョンされた同意によれば、ＭＳが、キャリアがＤＬのみであることを検知して、ＲＦキャリアの物理または論理インデックスが分かっている場合には、ＭＳは、各ＤＬ送信のＵＬ制御領域の存在位置を知ることができる。各完全にまたは一部が構成されているＲＦキャリアには、ＲＦキャリアの構成を提供するシステム構成情報が存在する。特にこの情報は、キャリア構成を示しており、キャリアがダウンリンクのみか、ＦＤＤ、ＴＤＤか等を示す。ＢＳは、システム構成中にＲＦキャリアに物理インデックスを割り当てることができ、これには、ネットワークエントリ中にＭＳに、システム構成について通知するために定期的に送信されるブロードキャストチャネルが含まれてよい。
【００２２】
アップリンク制御チャネルは、アップリンクサブフレームでデータチャネルと周波数分割多重化されてよく、アップリンク制御チャネルのサイズは、分配される論理リソースユニットの数で計測することができる。論理リソースユニットは、ブロードキャストチャネルによって移動局に知らされてよい。
【００２３】
一例として、ＢＳが、インデックスｎ１、ｎ２、ｎ３、ｎ４、ｎ５、およびｎ６を持つ、分配された論理リソースユニットを、１つの一次ＲＦキャリアと２つのダウンリンクのみのＲＦキャリアｉおよびｊを持つＭＳに割り当てた、と仮定する（ｉ＜ｊ）。このとき、ＭＳが、一次ＲＦキャリアに関する３つのアップリンク制御情報（例えばＨＡＲＱ、高速フィードバックチャネル、および帯域幅要求）、および、ＲＦキャリアｉに関する２つのアップリンク制御情報（例えばＨＡＲＱおよび高速フィードバックチャネル）、および、ＲＦキャリアｊに対応する１つのアップリンク制御情報（例えば高速フィードバックチャネル）を有している場合には、ＭＳは、一次ＲＦキャリアにアップリンクフィードバックを送信するために、分配された論理リソースユニットｎ１、ｎ２、ｎ３を利用して、ダウンリンクのみのＲＦキャリアｉに、分配された論理リソースユニットｎ４、ｎ５を利用して、ダウンリンクのみのＲＦキャリアｊに、分配された論理リソースユニットｎ６を利用することができる。アップリンク制御領域の分割は移動局が直に知ることができる（透明である：transparent）ので、基地局による割り当ては、各ＭＳに関連付けられているＲＦキャリア構成に基づいて行われる。この例では、分配される論理リソースユニットｎ１、ｎ２、ｎ３が一次キャリアアップリンク制御領域にあり、分配された論理リソースユニットｎ４、ｎ５は、ＲＦキャリアｉに対応するアップリンク制御領域にあり、分配された論理リソースユニットｎ６は、ダウンリンクのみのＲＦキャリアｊに対応するアップリンク制御領域に位置している。
【００２４】
図５は、ダウンリンクのみのキャリア用のフィードバックを提供するために利用することができる方法の一例を示す。
【００２５】
ブロック５０２で、基地局は、分配された最低の論理リソースユニットインデックスから、一次ＲＦキャリアのアップリンク制御チャネルを割り当てる。
【００２６】
ブロック５０４で、基地局は、完全構成の一次キャリアの最終アップリンク制御領域割り当ての後に、各ダウンリンクのみのユニキャストデータＲＦキャリアに対してアップリンク制御チャネルを割り当てる。場合によっては、処理は、最低インデックスのＤＬのみのキャリアから始まり、全てのダウンリンクのみの（不対）ユニキャストデータＲＦキャリアにアップリンク制御チャネルを割り当てるように増分していく。場合によっては、処理は、最高インデックスのＤＬのみのキャリアから始まり、全てのダウンリンクのみの（不対）ユニキャストデータＲＦキャリアにアップリンク制御チャネルを割り当てるように低減していってもよい。１度に増分されるのは、１またはその他の値であってよい。
【００２７】
ブロック５０６では、ダウンリンクのみのＲＦキャリア割り当てを有する１以上の移動局（一次ＲＦキャリアまたはその他の完全に構成されたＲＦキャリアに加えて）が、アクティブＲＦキャリアに対応するアップリンク制御およびデータを送信する（ブロック５０４に対応する方法で）。場合によっては、ＲＦキャリアインデックスをエアインタフェースでは送信しなくてもよい。これは、アップリンク制御情報割り当ての順序が、例えば周波数領域のＲＦキャリア周波数の相対部分によって、ＢＳおよびＭＳに暗に把握されているからである。一次ＲＦキャリアに対応するアップリンク制御情報は、より低い数値インデックスを有する、分配された論理リソースユニットに収められてよい。ダウンリンクのみの二次ＲＦキャリアに対応するアップリンク制御情報は、最低キャリアインデックスから始まる、残りの分配された論理リソースユニットに収められてよい。
【００２８】
図６は、一実施形態におけるシステム例を示す。コンピュータシステム６００は、ホストシステム６０２とディスプレイ６２２とを含む。コンピュータシステム６００は、ハンドヘルドパソコン、移動電話、セットトップボックス、またはいずれのコンピューティングデバイスにも実装することができる。例えばキーパッド、マウス、および／または、タッチスクリーンといった任意の種類のユーザインタフェースが利用可能である。ホストシステム６０２は、チップセット６０５、プロセッサ６１０、ホストメモリ６１２、ストレージ６１４、グラフィックサブシステム６１５、および無線機６２０を含んでよい。チップセット６０５は、プロセッサ６１０、ホストメモリ６１２、ストレージ６１４、グラフィックサブシステム６１５、および無線機６２０の間の相互通信を提供することができる。例えばチップセット６０５は、ストレージ６１４との間に相互通信を提供することのできるストレージアダプタ（不図示）を含んでよい。
【００２９】
プロセッサ６１０は、複合命令セットコンピュータ（ＣＩＳＣ）または縮小命令セットコンピュータ（ＲＩＳＣ）プロセッサ、ｘ８６命令セットに準拠したプロセッサ、マルチコア、その他のマイクロプロセッサまたは中央処理装置として実装することができる。様々な実施形態では、プロセッサ６１０は、ここに記載する技術を実行する命令で構成することができる。
【００３０】
ホストメモリ６１２は、これらに限定はされないが、ランダムアクセスメモリ（ＲＡＭ）、動的ランダムアクセスメモリ（ＤＲＡＭ）、または静的ＲＡＭ（ＳＲＡＭ）等の揮発性メモリデバイスとして実装することができる。ストレージ６１４は、これらに限定はされないが、磁気ディスクドライブ、光ディスクドライブ、テープドライブ、内蔵格納デバイス、外付け格納デバイス、フラッシュメモリ、バッテリ補強ＳＤＲＡＭ（battery backed-up SDRAM）（同期ＤＲＡＭ）、および／またはネットワークアクセス可能な格納デバイス等として実装することができる。
【００３１】
グラフィックサブシステム６１５は、静止画または動画に表示用処理を施すことができる。アナログまたはデジタルインタフェースは、グラフィックサブシステム６１５とディスプレイ６２２とを通信可能に連結することができる。例えばインタフェースは、高精細マルチメディアインタフェース、ディスプレイポート、無線ＨＤＭＩ、および／または、無線ＨＤに準拠した技術のうちいずれであってもよい。グラフィックサブシステム６１５は、プロセッサ６１０またはチップセット６０５に統合することができる。グラフィックサブシステム６１５は、チップセット６０５に通信可能に連結された独立型のカードであってよい。
【００３２】
無線機６２０は、これらに限定されないがＩＥＥＥ８０２．１１およびＩＥＥＥ８０２．１６のいずれのバージョンであってもよい利用可能な無線規格に準拠した信号を送受信する機能を有する１以上の無線機を含んでよい。例えば無線機６２０は、物理層インタフェースおよびメディアアクセスコントローラを少なくとも含むことができる。
【００３３】
本発明の実施形態は、マザーボード、ハードワイヤ論理、マイクロプロセッサ、およびメモリデバイスに格納され、マイクロプロセッサ、ファームウェア、特定用途向け集積回路（ＡＳＩＣ）、および／またはフィールドプログラマブルゲートアレイ（ＦＰＧＡ）が実行するソフトウェアを利用して相互接続される１以上のマイクロチップまたは集積回路のいずれか、またはこれらの組み合わせとして実装することができる。「論理」という用語は、例示であるが、ソフトウェアまたはハードウェア、および／または、ソフトウェアとハードウェアとの組み合わせが含まれてよい。
【００３４】
本発明の実施形態は、例えば、コンピュータ、コンピュータネットワーク、または他の電子デバイス等の１以上の機械により実行されると、この１以上の機械に、本発明の実施形態による処理を実行させる１以上の機械実行可能な命令を格納した１以上の機械可読媒体を含んでよいコンピュータプログラムプロダクトとして提供することができる。機械可読媒体には、これらに限定はされないが、フロッピー（登録商標）ディスク、光ディスク、ＣＤ−ＲＯＭ、および磁気光ディスク、ＲＯＭ、ＲＡＭ、ＥＰＲＯＭ、ＥＥＰＲＯＭ、磁気カードまたは光カード、フラッシュメモリ、その他のタイプの、機械実行可能命令の格納に適した媒体／機械可読媒体が含まれてよい。
【００３５】
図面および上述した記載は、本発明の例示である。離散した機能的なアイテムが幾つか記載されていたとしても、当業者であれば、これら部材の１以上を単一の機能部材に組み込むことができることを理解する。または、一定の部材を複数の機能部材に分割することもできる。一実施形態で利用される部材を他の実施形態に追加することもできる。例えば、ここで記載する方法順序は変更することができ、ここで記載する順序にとらわれない。さらに、フロー図の動作は示されている順序で実装される必要はなく、または、全ての動作を行わなくともよい。さらに、他の動作に依存していない動作については、他の動作と並行して行うことができる。しかし本発明の範囲は、これら特定の例に限定されない。明細書に明示されていようといまいと、構造上異なる、または材料が異なる様々な変形例を含む。本発明の範囲は、少なくとも以下の請求項が示す広さを持つ。
【図１】
2013521705.tif 000003
【図２】
2013521705.tif 000004
【図３】
2013521705.tif 000005
【図４】
2013521705.tif 000006
【図５】
2013521705.tif 000007
【図６】
2013521705.tif 000008
【国際調査報告】
2013521705.tif 000009
2013521705.tif 000010